(57)【要約】【課題】無線通信による不正なアクセスにより、記憶手段の内容に対して誤ったデータで書き換えが複数回行われた時であっても、正しいデータを得ることを可能になる。【解決手段】第一の端末装置と第二の端末装置との間で近接通信を行う無線通信システムであって、第一の端末装置は、第一の記録媒体に対して装置外部より情報の読み出し及び書き込みを可能とする第一の近接通信手段を備え、第二の端末装置は、第二の近接通信手段にて第一の記録媒体から情報を読み出して第二の記録媒体に記録した後に所定の情報を第一の記録媒体に書き込む情報書き換え手段とを備え、情報書き換え手段は第一の記録媒体から情報を読み出す時に第一の記録媒体に記録された第一の情報提供元情報も併せて読み出して第二の記録媒体に記録し、その後、第二の端末装置を個別に特定可能な情報である第二の情報提供元情報を第一の記録媒体に書き込む。【選択図】図２
2017069879.tif 000002
【特許請求の範囲】
【請求項１】
第一の端末装置と第二の端末装置とからなり、前記第一の端末装置と前記第二の端末装置との間で近接通信を行う無線通信システムにおいて、
前記第一の端末装置は、
第一の記録媒体と、
前記第一の記録媒体に対して装置外部より情報の読み出し及び書き込みを可能とする第一の近接通信手段を備え、
前記第二の端末装置は、
前記第一の記録媒体に対して近接通信により情報の読み出し及び書き込みが可能な第二の近接通信手段と、
前記第二の近接通信手段にて読み出した情報を記録する第二の記録媒体と、
前記第二の近接通信手段にて前記第一の記録媒体から情報を読み出して前記第二の記録媒体に記録した後に所定の情報を前記第一の記録媒体に書き込む情報書き換え手段と、を備え、
前記情報書き換え手段は前記第一の記録媒体から情報を読み出す時に前記第一の記録媒体に記録された第一の情報提供元情報も併せて読み出して前記第二の記録媒体に記録し、その後、前記第二の端末装置を個別に特定可能な情報である第二の情報提供元情報を前記第一の記録媒体に書き込むことを特徴とする無線通信システム。
【請求項２】
前記第二の端末装置を個別に特定可能な情報は、第二の端末装置の所有者に関する固有名称であることを特徴とする請求項１に記載の無線通信システム。
【請求項３】
前記第二の端末装置を個別に特定可能な情報は、第二の端末装置のＩＰアドレスであることを特徴とする請求項１に記載の無線通信システム。
【請求項４】
前記第二の端末装置を個別に特定可能な情報は、公衆回線網の加入者番号であることを特徴とする請求項１に記載の無線通信システム。
【請求項５】
前記情報書き換え手段は、書き込みを実施する時、前記第一の記録媒体に記録された計数カウンタを変更することを特徴とする請求項１乃至請求項４の何れか一項に記載の無線通信システム。
【請求項６】
前記情報書き換え手段は、書き込みを実施する時、第一の記録媒体に空き容量がある場合は追加書き込みを行い、空き容量が無い場合は上書き書込みを行うことを特徴とする請求項１乃至請求項５の何れか一項に記載の無線通信システム。
【発明の詳細な説明】
【技術分野】
【０００１】
本発明は、記録媒体に対して近接通信により情報の読み出しと書き込みが可能な無線通信システムに関する。
【背景技術】
【０００２】
近年の画像処理に関する作業環境では、画像データをコンピュータで取り扱い可能なデータファイル形式で処理する、いわゆるファイルベース化が進行している。
【０００３】
ファイルベース化することにより、様々なコンピュータ技術を画像に対して適用可能となる。特に、撮像装置にて撮像して生成した画像データをファイル化して記憶装置に記録する際に、その画像データに関する付帯情報、いわゆるメタデータを併せて付加してファイル化することが一般的になってきている。付帯情報としては、例えばアスキーコードで記述された各種テキスト情報、撮像装置の各種設定に関する数値情報、２値で表現できる情報に関しては１ｂｉｔのフラグ情報等がある。そして、それらメタデータを如何に活用して、利便性を享受するかが望まれている。
【０００４】
更に近年では、インターネット等に代表される通信分野の技術発展が顕著である。画像データを通信技術を利用し、ある画像処理装置から外部画像処理装置へと画像データ転送を行う試みが多数為されている。ここで、画像処理装置とは画像データを扱う装置全般であり、デジタルビデオカメラ、デジタルスチルカメラ、パーソナルコンピュータ、タブレット型コンピュータ、スマートフォン、ワークステーション等、様々である。その他、例えば放送局、映画制作会社、映像制作会社等に設置される、業務目的を達成する為に使用される様々な画像処理装置も含まれる。
【０００５】
そして、画像データと共に各種メタデータも併せて通信技術を利用して転送する試みも為されている。更には、それらメタデータのみを通信技術を利用して運用する試みも為されている。特に、業務用途においては、それら画像データがどのような経緯で作成され、どのように運用されるのかを示すメタデータを活用することが、業務効率を高める上で効果的であり、各種の提案が為されている。
【０００６】
通信技術の中でも、近年は無線通信に関する技術が急速に発達している。例えば、無線ＬＡＮ、ＮＦＣ（Ｎｅａｒ  Ｆｉｅｌｄ  Ｃｏｍｍｕｎｉｃａｔｉｏｎ）等である。無線通信は、通信する機器同士で電線を結線する必要が無い為、電線の事前準備が不要、電線を各機器に結線する煩雑さも無い。更には通信する機器通りの相対距離を比較的自由に設定できる。無線通信にはそのような利点がある為、前述の画像処理装置およびその他装置に対する応用が、近年活発に為されている。
【０００７】
それら無線通信を利用して機器同士の通信を行う際、秘密性の高いデータを読み出されたり、重要なデータを削除されたり、誤ったデータが書き込まれるといったおそれが、問題になる場合がある。
【０００８】
この場合に、無線通信からは書き込みが不可能な記憶手段を備え、その記憶手段に記憶された内容に応じて無線通信からのアクセス許可および禁止を制御することが考えられる（特許文献１）。
【先行技術文献】
【特許文献】
【０００９】
【特許文献１】特開２００２−１９７４３２号公報
【発明の概要】
【発明が解決しようとする課題】
【００１０】
しかしながら、上記の特許文献１では、以下のような問題点があった。無線通信による不正なアクセスにより、記憶手段の内容に対して誤ったデータで書き換えが行われた時に、正しいデータが紛失してしまう問題があった。
【００１１】
無線通信の中でも、ＮＦＣ通信はタグ側が電源ＯＦＦ状態であっても、リーダ／ライタ側から電磁誘導にて電力を供給することで通信が可能となる。その場合、タグが装着された機器自体を電源ＯＦＦ状態としておくことが可能であるが、電源ＯＦＦ状態である場合、モニタ画面やＬＥＤ等の表示装置が非作動状態となる。その為、タグに対して書き込みが為されたかどうか、現在どのようなデータが書き込みされた状態であるか、タグが備わる機器の外観から判断することが困難である。その結果、誤ったデータが書き込まれてしまう場合がある。更には、誤ったデータの書き込みが複数回行われてしまう場合もある。
【００１２】
業務用映像の撮影現場等では、複数人のチームで行動することがある。その場合、複数人がＮＦＣリーダ／ライタを備えた端末を所有して、撮像記録通信装置、いわゆるビデオカメラに備わるＮＦＣタグの内容の書き換えが可能な状況である場合がある。ＮＦＣタグに撮像記録に関する各種メタデータを書き込み利用する場合がある。その時、その複数個の端末の中で、予め定めた特定の端末でＮＦＣタグの書き換えを行う様に作業計画を立案する。
【００１３】
しかし実際には、人が実施する作業にはヒューマンエラーが付きものであり、結果として不正アクセスが発生する場合がある。本来望まない端末を用いて、本来望まない値に、ＮＦＣタグの内容が書き換えられてしまう場合がある。
【００１４】
例えば、複数名のアシスタントが各々端末を所有する状況で、あるアシスタントが、撮影監督やカメラマンの望まないメタデータ書き換えを実施してしまう場合がある。その時、ビデオカメラは電源ＯＦＦ状態であると、望まないメタデータ書き換えが実施されたかどうか判別が困難となる。更には、その望まないメタデータ書き換えが複数回行われると、書き換え経緯の追跡も困難となる。
【００１５】
本発明は、上記のような点に鑑みてなされたものであり、無線通信による不正なアクセスにより、記憶手段の内容に対して誤ったデータで書き換えが複数回行われた時であっても、誤ったデータ書き換えが行われる前に記憶手段に記憶されていた正しいデータを得ることできる無線通信システムを提供することを目的とする。
【課題を解決するための手段】
【００１６】
上記の目的を達成するために、本発明に係る無線通信システムは、
第一の端末装置と第二の端末装置とからなり、第一の端末装置と第二の端末装置との間で近接通信を行う無線通信システムであって、第一の端末装置は、第一の記録媒体と、第一の記録媒体に対して装置外部より情報の読み出し及び書き込みを可能とする第一の近接通信手段を備え、第二の端末装置は、第一の記録媒体に対して近接通信により情報の読み出し及び書き込みが可能な第二の近接通信手段と、第二の近接通信手段にて読み出した情報を記録する第二の記録媒体と、第二の近接通信手段にて第一の記録媒体から情報を読み出して第二の記録媒体に記録した後に所定の情報を第一の記録媒体に書き込む情報書き換え手段と、を備え、情報書き換え手段は第一の記録媒体から情報を読み出す時に第一の記録媒体に記録された第一の情報提供元情報も併せて読み出して第二の記録媒体に記録し、その後、第二の端末装置を個別に特定可能な情報である第二の情報提供元情報を第一の記録媒体に書き込むことを特徴とする。
【発明の効果】
【００１７】
本発明に係る無線通信システムによれば、情報書き換え手段は第一の記録媒体から情報を読み出す時に第一の記録媒体に記録された情報提供元情報も併せて読み出して第二の記録媒体に記録し、その後、第二の端末装置を個別に特定可能な情報を第一の記録媒体に情報提供元情報として新たに書き込むようにした。それにより、無線通信による不正なアクセスにより、記憶手段の内容に対して誤ったデータで書き換えが複数回行われた時であっても、誤ったデータ書き換えが行われる前に記憶手段に記憶されていた正しいデータを得ることが可能になる。
【図面の簡単な説明】
【００１８】
【図１】第１の実施形態に係る撮像記録通信装置のハード構成図である。
【図２】第１の実施形態に係る無線通信システムのシステム構成図である。
【図３】第１の実施形態に係る外部端末のハード構成図である。
【図４】第１の実施形態に係る撮像記録通信装置にて表示する画面の図である。
【図５】第１の実施形態におけるクリップデータのデータ構造の詳細を説明するための図である。
【図６】第１の実施形態に係る外部通信装置の画面の図である。
【図７】第１の実施形態におけるメタデータ書き換え処理の手順を示すフローチャートである。
【図８】第１の実施形態におけるメタデータ書き換え処理の実施状況を示す図である。
【図９】第１の実施形態におけるメタデータ書き換え処理の実施結果を示す図ある。
【発明を実施するための形態】
【００１９】
以下、添付図面を参照して、本発明の好適な実施形態について説明する。
【００２０】
＜第１の実施形態＞
図１は第１の実施形態に係る撮像記録通信装置１００の構成を示すハード構成図である。
【００２１】
撮像記録通信装置とは画像データを扱う装置であり、デジタルビデオカメラ、デジタルスチルカメラである。その他、撮像部を備えた、パーソナルコンピュータ、タブレット型コンピュータ、スマートフォン、ワークステーション等、である。放送局、映画制作会社、映像制作会社等にて使用される、業務目的を達成する為に使用される様々な撮像記録通信装置も含まれる。本実施形態では、撮像記録通信装置１００としてはデジタルビデオカメラを例に説明する。
【００２２】
システム制御マイコン１０１は、例えば、ＣＰＵ（ＭＰＵ）、メモリ（ＤＲＡＭ、ＳＲＡＭ）などからなり、各種処理（プログラム）を実行して画像処理装置１００の各ブロックを制御したり、各ブロック間でのデータ送受信を制御したりする。またシステム制御マイコン１０１は、ユーザからの操作を受け付ける操作部１０２からの操作信号に応じて、撮像記録通信装置１００の各ブロックを制御する。
【００２３】
操作部１０２は、電源ボタン、スライドスイッチ、ボタン、十字キー、タッチパネル等で構成される。ユーザによりこれらが操作されるとシステム制御マイコン１０１に操作信号を送信する。
【００２４】
バス１０３は、各種データ、制御信号、指示信号などを撮像記録通信装置１００の各ブロックに送るための汎用バスである。
【００２５】
メモリ１０４は、例えばＲＡＭ（Ｒａｎｄｏｍ  Ａｃｃｅｓｓ  Ｍｅｍｏｒｙ）やフラッシュメモリであって、画像信号および音声信号、撮像記録通信装置１００の設定情報などを一時的に記憶する揮発性メモリと不揮発性メモリの双方が備わる。
【００２６】
記録媒体１０５は、撮像記録通信装置１００に内蔵される記録媒体である。記録媒体１０５は、撮像記録通信装置１００で扱う各種データなどを記録することができる。記録媒体１０５の例としては、例えばハードディスク、ＳＳＤ、光ディスク、フラッシュメモリなどがあげられる。本実施形態では、フラッシュメモリを例に説明する。
【００２７】
ＮＦＣ通信部１０６は、撮像記録通信装置１００が外部端末とＮＦＣ通信を行う為の通信部である。撮像記録通信装置１００と外部端末とが通信を行うことにより、外部端末は、撮像記録通信装置１００で扱う各種データなどを送受信することができる。また、外部端末にそれら各種データを記録することもできる。外部端末の例としては、例えばスマートフォン、タブレット型パソコン、ノート型パソコン、デスクトップ型パソコンなどがあげられる。本実施形態では、外部端末としては、いわゆるスマートフォンと呼ばれる画像処理装置１００との間でＮＦＣ通信が可能な外部端末装置を例に説明する。
【００２８】
また、ＮＦＣ通信部１０６は、タグメモリ１１４を備える。システム制御マイコン１０１は、バス１０３とＮＦＣ通信部１０６を経由して、タグメモリ１１４と他ブロックとの間でのデータ送受信を制御する。タグメモリ１１４は、ＮＦＣ通信部１０６が電源ＯＦＦ状態であっても、外部端末から電磁誘導にて電力供給を行うことで動作し、外部端末との間で通信を行うことが可能である。
【００２９】
ＷｉＦｉ通信部１０７は、撮像記録通信装置１００が外部端末装置とＷｉＦｉ通信し、ファイル転送する為の通信部である。ＷｉＦｉ通信部１０７はＦＴＰプロトコルに対応しており、ファイル転送を行う場合、ＦＴＰクライアントとしてＦＴＰサーバに対してファイル転送を実行する。端末としては、いわゆるスマートフォンと呼ばれる撮像記録通信装置１００との間でＮＦＣ通信が可能な外部端末装置を例に説明する。
【００３０】
表示部１０８は、撮像記録通信装置１００に内蔵されるものである。記録媒体１０５に記録された画像データや、各種メニューなどのＧＵＩを表示する。表示部１０８は例えば、液晶ディスプレイ、有機ＥＬディスプレイ等を用いることができる。
【００３１】
音声出力部１０９は、撮像記録通信装置１００に内蔵されるものである。例えばスピーカーおよびその駆動部からなり、記録媒体１０５に記録された音声信号にもとづき音声を出力する。
【００３２】
映像外部出力部１１０は、外部映像表示装置を撮像記録通信装置１００に接続する為の出力部である。記録媒体１０５に記録された画像データや、各種メニューなどのＧＵＩを外部映像表示装置に表示する。外部映像表示装置の例としては、テレビ、モニタなどがあげられる。本実施形態では、外部モニタを例に説明する。
【００３３】
音声外部出力部１１１は、外部音声出力装置を撮像記録通信装置１００に接続する為の出力部である。記録媒体１０５に記録された音声信号にもとづき音声を出力する。外部音声出力装置の例としては、スピーカーやヘッドフォンなどがあげられる。本実施形態では、外部スピーカーを例に説明する。
【００３４】
撮像部１１２は具体的にはレンズ、光電変換素子、信号処理回路等で構成され、レンズに入光した被写体情報を光電変換素子にて電気信号に変換し、信号処理を経て、画像データを生成する。また、レンズ位置はフォーカス状態およびズーム状態が適切な状態となる様にシステム制御マイコン１０１にて制御される。
【００３５】
符号化部１１３は、撮像部１１２が生成した画像データに対してＭＰＥＧ２規格等に基づく圧縮処理を施しファイル化を行う。そのファイル化されたデータはメモリ１０４に配置され、記録媒体１０５に記録されるプログラムに基づきシステム制御マイコンが実行する処理によりメタデータが追加され、ストリームファイルを生成する。同様に、記録媒体１０５に記録されるプログラムに基づきシステム制御マイコンが実行する処理により、メモリ１０４上にメタデータファイルを生成する。
【００３６】
本実施形態では、タグメモリ１１４を撮像記録メタデータの記憶領域として使用する。撮像記録メタデータとは、撮像部１１２にて撮像して画像を生成して記録媒体１０５に記録する際、付帯記録する付帯情報であり、撮像記録処理に関する様々な情報である。例えば、これから撮像記録しようとする内容を、アスキーコードで記述されたテキスト情報で表現して、予めタグメモリ１１４に記憶しておく。操作者は操作部１０２を操作し、撮像記録通信装置１００に撮像記録の実行を指示する。すると、システム制御マイコン１０１は、その指示が為されたことを検出し、バス１０３を通じて各ブロックに撮像記録に関する処理の実行を指示する。それにより、撮像部１１２は撮像を実行して画像を生成する。符号化部１１３はその画像の符号化を行う。そして、符号化された画像データは、ファイルとして記憶媒体１０５に記録される。
【００３７】
その時、システム制御マイコン１０１は、撮像記録メタデータに関しても、バス１０３を通じて各ブロックに処理の実行を指示する。ＮＦＣ通信部１０６に備わるタグメモリ１１４に記録された撮像記録メタデータを読み出し、記録媒体１０５に画像データをファイルとして記録する時に、その撮像記録メタデータを併せて記録する。
【００３８】
図２はスマートフォンと組み合わせて撮像記録通信装置１００を使用する例を示すシステム構成図である。
【００３９】
撮像記録通信装置１００は、外部端末２０１と２系統の無線通信を行う。外部端末２０１は、例えばスマートフォンである。１系統目はＮＦＣ通信である。ＮＦＣ通信は、撮像記録通信装置１００に備わるＮＦＣ通信部１０６と外部端末２０１に備わるＮＦＣ通信部２０３との間で通信を行う。２系統目はＷｉＦｉ通信である。ＷｉＦｉ通信は、撮像記録通信装置１００に備わるＷｉＦｉ通信部１０７と外部端末２０１に備わるＷｉＦｉ通信部２０４との間で通信を行う。それら２系統の通信経路は、ＮＦＣ通信のみ実行すること、ＷｉＦｉ通信のみ実行すること、ＮＦＣ通信とＷｉＦｉ通信の両方を実行すること、以上のいずれもが可能である。
【００４０】
ＮＦＣ通信に関しては、撮像記録通信装置１００のＮＦＣ通信部１０６が電源ＯＦＦの場合でも通信が可能である。その場合、外部端末２０１のＮＦＣ通信部２０３から撮像記録通信装置１００のＮＦＣ通信部１０６へ電磁誘導にて電力供給を行うことで撮像記録通信装置１００のＮＦＣ通信部を作動状態とする。それにより、外部端末２０１のＮＦＣ通信部２０３にて、撮像記録通信装置１００のＮＦＣ通信部１０６に備わるタグメモリ１１４に対して、データの読み出し及び書き込みを行う。
【００４１】
外部端末２０１は、タッチパネルディスプレイ２０２を備える。タッチパネルディスプレイ２０２は、ディスプレイ機能とタッチパネル機能を兼ね備えている。ディスプレイ機能は、外部端末２０１で扱う画像データ、テキストデータ、操作メニュー等を表示する。また、タッチパネル機能は、操作者が指等で表示された操作メニューの所望の箇所をタッチすることで、操作部材を操作しているのと同様に外部端末２０１に対して操作指示を行う。
【００４２】
また、外部端末２０１は、操作部２０５を備える。操作部２０５はボタン等で構成される。操作者が操作部２０５を操作することで、外部端末２０１に対して操作指示を与えることが出来る。
【００４３】
本実施形態では、撮像記録通信装置１００が電源ＯＦＦの時に、撮像記録通信装置１００のＮＦＣ通信部１０６と、外部端末２０１のＮＦＣ通信部２０３とでＮＦＣ通信を行う。その時、撮像記録通信装置１００のＮＦＣ通信部１０６は撮像記録通信装置１００自身と同様に電源ＯＦＦ状態となっている。その為、外部端末２０１のＮＦＣ通信部２０３から撮像記録通信装置１００のＮＦＣ通信部１０６に対して電磁誘導による電力供給を行う。それにより、ＮＦＣ通信を行う。撮像記録通信装置１００のＮＦＣ通信部と外部端末２０１のＮＦＣ通信部２０３との間でＮＦＣ通信成立後、撮像記録メタデータの読み込みと書き込みを行う。
【００４４】
図３は第１の実施形態に係る外部端末２０１の構成を示すハード構成図である。本実施形態では、外部端末２０１としてはスマートフォンを例に説明する。
【００４５】
システム制御マイコン３０１は、例えば、ＣＰＵ（ＭＰＵ）、メモリ（ＤＲＡＭ、ＳＲＡＭ）などからなり、各種処理（プログラム）を実行して外部端末２０１の各ブロックを制御したり、各ブロック間でのデータ送受信を制御したりする。またシステム制御マイコン３０１は、ユーザからの操作を受け付ける操作部３０２からの操作信号に応じて、外部端末２０１の各ブロックを制御する。
【００４６】
操作部３０２は、電源ボタン、スライドスイッチ、ボタン、タッチパネル等で構成される。ユーザによりこれらが操作されるとシステム制御マイコン３０１に操作信号を送信する。
【００４７】
バス３０３は、各種データ、制御信号、指示信号などを外部端末２０１の各ブロックに送るための汎用バスである。
【００４８】
メモリ３０４は、例えばＲＡＭ（Ｒａｎｄｏｍ  Ａｃｃｅｓｓ  Ｍｅｍｏｒｙ）やフラッシュメモリであって、画像信号および音声信号、外部端末２０１の設定情報などを一時的に記憶する揮発性メモリと不揮発性メモリの双方が備わる。
【００４９】
記録媒体３０５は、外部端末２０１に内蔵される記録媒体である。記録媒体３０５は、外部端末２０１で扱う各種データなどを記録することができる。記録媒体３０５の例としては、例えばハードディスク、ＳＳＤ、光ディスク、フラッシュメモリなどがあげられる。本実施形態では、フラッシュメモリを例に説明する。
【００５０】
ＮＦＣ通信部３０６は、外部端末２０１が撮像記録通信装置１００とＮＦＣ通信を行う為の通信部である。撮像記録通信装置１００と外部端末２０１とが通信を行うことにより、外部端末２０１は、撮像記録通信装置１００で扱う各種データなどを送受信することができる。また、外部端末２０１にそれら各種データを記録することもできる。
【００５１】
また、撮像記録通信装置１００のＮＦＣ通信部１０６が電源ＯＦＦ状態であっても、外部端末２０１のＮＦＣ通信部３０６から電磁誘導にて電力供給を行うことで動作し、撮像記録通信装置１００と外部端末２０１との間で通信を行うことが可能である。
【００５２】
ＷｉＦｉ通信部３０７は、撮像記録通信装置１００が外部端末２０１とＷｉＦｉ通信し、ファイル転送する為の通信部である。ＷｉＦｉ通信部３０７はＦＴＰプロトコルに対応しており、ファイル転送を行う場合、ＦＴＰクライアントとしてＦＴＰサーバに対してファイル転送を実行する。
【００５３】
表示部３０８は、外部端末２０１に内蔵されるものである。記録媒体３０５に記録された画像データや、各種メニューなどのＧＵＩを表示する。表示部３０８は、図２のタッチパネルディスプレイ２０２に該当する。表示部３０８は例えば、液晶ディスプレイ、有機ＥＬディスプレイ等を用いることができる。
【００５４】
音声出力部３０９は、外部端末２０１に内蔵されるものである。例えばスピーカおよびその駆動部からなり、記録媒体３０５に記録された音声信号にもとづき音声を出力する。
【００５５】
図４は撮像記録通信装置１００の表示部１０８にて表示する、タグメモリ１１４に記録された撮像記録メタデータを表示する画面の図である。
【００５６】
４０１は表示部１０８に表示する領域の全体を表す。撮影内容メタデータ表示部４０２は、タグメモリ１１４に記録された撮影内容メタデータを表示する。例えば、文字列として「忘年会」が記録されている。外部端末アドレス表示部４０３は、タグメモリ１１４に記録された外部端末のアドレスを表示する。この外部端末のアドレスは、直近で外部端末２０１から撮影内容メタデータを書き込んだ時の、その外部端末２０１を特定するアドレスである。例えば、数値列として「２８８」が記録される。その他、外部端末２０１を特定する情報として、外部端末２０１の所有者に関する固有名称、外部端末２０１のＩＰアドレス、外部端末２０１に割り当てられた公衆回線網における加入者番号等でも良い。
【００５７】
本実施形態では、撮像記録通信装置１００が電源ＯＦＦである時、外部端末２０１にてタグメモリ１１４に対して、撮影内容メタデータ、及び外部端末のアドレスの書き込みを行う。また、外部端末２０１にてタグメモリ１１４に対して書き込みを実行する時、タグメモリ１１４の所定領域に割当られた書き換え回数カウンタの値を１増加する。書き換えう回数表示部４０４は、その書き換え回数カウンタの値を表示する表示部である。
【００５８】
図５はクリップのデータ構造の詳細を説明するための図である。
【００５９】
クリップ５０１は、撮像記録通信装置１００すなわちデジタルビデオカメラにて、撮影開始操作時から撮影終了操作時までの、ひとまとまりの操作にて撮影記録される画像データのひとまとまりである。クリップ５０１は、ストリームファイル５０２とメタデータファイル５０５とで構成される。
【００６０】
これらファイルは、撮像記録通信装置１００の記録媒体１０５に記録される。ストリームファイル５０２とメタデータファイル５０５とは、一対の情報であることを示す為、メディア上のファイルシステムの階層構造にて、同一フォルダに格納される。また、それぞれのファイル名も関連を持たせて、撮像記録通信装置１００にてファイル内容を認識する場合、ユーザがファイル管理ツール等を用いてファイル内容を確認する場合、ともに利便性を高めている。例えば、ストリームファイルのファイル名を「ＡＡ０００１０１．ＭＸＦ」、メタデータファイルのファイル名を「ＡＡ０００１．ＸＭＬ」等とする。両者には共通して「ＡＡ０００１」文字列が設定される為、両者は一対のファイル群であることを識別できる。
【００６１】
ストリームファイル５０２は、画像データ５０４を格納するためのファイルである。また、画像データ５０４の生成時の各種情報、例えば符号化方式（ＭＰＥＧ２、Ｈ．２６４、等）、解像度（１９２０×１０８０、１２８０×７２０、等）、フレームレート（２４Ｐ、３０Ｐ、５９．９４Ｐ、等）等の情報を格納するためのヘッダーメタデータ５０３も備える。
【００６２】
メタデータファイル５０５には各種メタデータが記録される。その中に、撮影内容メタデータ５０６が記録される。撮影内容メタデータ５０６は、撮像記録時に撮像画像内容を説明する情報として格納する。例えば、文字列として「忘年会」が格納される。
【００６３】
本実施形態では、撮像記録通信装置１００のシステム制御マイコン１０１にて、撮像記録を実行時、バス１０３経由でタグメモリ１１４から撮像記録メタデータを読み出し、記録媒体１０５に記録されるメタデータファイル５０５の撮影内容メタデータ５０６に書き込みを行う。
【００６４】
図６は外部端末２０１のタッチパネルディスプレイ２０２に表示される画面を示す図である。
【００６５】
外部端末２０１は例えばスマートフォンであり、専用アプリケーションが起動している状態である。その専用アプリケーションは、撮像記録通信装置１００のＮＦＣ通信部１０６への電磁誘導による電力供給と、ＮＦＣ通信部１０６との通信、ＮＦＣ通信部１０６に備わるタグメモリ１１４に対するデータの読み出し及び書き込みを行う。特に、タグメモリ１１４から撮影内容メタデータと外部端末のアドレスを読み出し、外部端末２０１のタッチパネルディスプレイ２０２上に設定して表示されている撮影内容メタデータをタグメモリ１１４に書き込む。その時、併せて、外部端末２０１自身に対応する外部端末のアドレスもタグメモリ１１４に書き込む。
【００６６】
４０１はタッチパネルディスプレイ２０２の表示領域の全体を示す。撮影内容メタデータ表示部４０２は、これからタグメモリ１１４に書き込もうとする撮影内容メタデータを表示している。例えば、文字列「忘年会」を表示する。この文字列は、外部端末２０１の操作部３０２を用いて、操作者が任意の文字列を設定することができる。
【００６７】
はいボタン６０３は、操作部３０２を用いて、はいボタン６０３を押下することにより、撮影内容メタデータ表示部に設定された文字列、例えば「忘年会」を、タグメモリ１１４に書き込みを行う。その時に併せて、外部端末２０１自身に対応する外部端末のアドレスもタグメモリ１１４に書き込む。
【００６８】
いいえボタン６０４は、操作部３０２を用いて、いいえボタン６０４を押下することにより、タグメモリ１１４に対する撮影内容メタデータ及び外部端末のアドレスの書き込み処理を中断する。
【００６９】
図７は本実施形態における外部端末２０１が備えるシステム制御マイコン３０１が実行するＮＦＣタグメモリ書き換え処理を示すフローチャートである。
【００７０】
Ｓ７０１は、処理の開始を示す。
【００７１】
Ｓ７０２は、書き換えを実行するかどうかを検出する。図６に示す、はいボタン６０３が押下された場合はＳ７０３に進む。いいえボタン６０４が押下された場合はＳ７０６に進み、書き込み処理を実行せずに処理を終了する。
【００７２】
Ｓ７０３は、ＮＦＣタグメモリから読み出す処理である。具体的には、ＮＦＣタグメモリ１１４から、撮影内容メタデータと、その撮影内容メタデータをＮＦＣタグメモリ１１４に書き込みを実行した時の送信元である外部端末２０１のアドレスである外部端末のアドレス情報を読み出す。そして、外部端末２０１の記録装置３０５に記録する。
【００７３】
Ｓ７０４は、ＮＦＣタグメモリへ書き込む処理である。具体的には、図６の撮影内容メタデータ６０２に設定した文字列、例えば文字列「忘年会」を、ＮＦＣタグメモリ１１４の所定の領域に書き込みを行う。また、併せて、外部端末２０１を特定するアドレスである外部端末のアドレス情報をＮＦＣタグメモリ１１４の所定の領域に書き込みを行う。外部端末のアドレス情報は、外部端末２０１のメモリ３０４に不揮発性メモリとして予め記録されているので、それを読み出し、ＮＦＣタグメモリ１１４の所定の領域に書き込みを行う。
【００７４】
Ｓ７０５は、ＮＦＣタグメモリ上に配置された書き換え回数カウンタを１増加する処理である。この書き換え回数カウンタは、撮像記録通信装置１００が電源ＯＮ状態から電源ＯＦＦ状態に遷移する時に、ゼロリセットされる。それにより、撮像記録通信装置１００がＯＦＦ中に外部端末１００にて実行された書き換えの回数をカウントすることが出来る。
【００７５】
図８は図７に示すフローチャートを適用して、外部端末２０１と撮像記録通信装置１００との間でＮＦＣ通信を行い、外部端末２０１の記録媒体３０５と、撮像記録通信装置のタグメモリ１１４の書き換えを実行した場合を示す図である。ここでは、外部端末２０１は３台あり、それぞれ、外部端末Ａ、外部端末Ｂ、外部端末Ｃとする。
【００７６】
８０１から８０４までは外部端末Ａの記録媒体３０５の状態を示す。８０１は撮影内容メタデータのバックアップ値であり、タグメモリ１１４の撮影内容メタデータ８３１の値を読み出してバックアップする。８０２は外部端末のアドレスのバックアップ値であり、タグメモリ１１４の外部端末のアドレス８３２の値を読み出してバックアップする。８０３は撮影内容メタデータであり、本値をタグメモリ１１４の撮影内容メタデータ８３１に書き込む。８０４は外部端末Ａのアドレスであり、本値をタグメモリ１１４の外部端末８３２に書き込む。そしてタグメモリ１１４の書き換え回数カウンタ８３３を１増加する。
【００７７】
８１１から８１４までは外部端末Ｂの記録媒体３０５の状態を示す。８１１は撮影内容メタデータのバックアップ値であり、タグメモリ１１４の撮影内容メタデータ８４１の値を読み出してバックアップする。８１２は外部端末のアドレスのバックアップ値であり、タグメモリ１１４の外部端末のアドレス８４２の値を読み出してバックアップする。８１３は撮影内容メタデータであり、本値をタグメモリ１１４の撮影内容メタデータ８４１に書き込む。８１４は外部端末Ａのアドレスであり、本値をタグメモリ１１４の外部端末８４２に書き込む。そしてタグメモリ１１４の書き換え回数カウンタ８４３を１増加する。
【００７８】
８２１から８２４までは外部端末Ｃの記録媒体３０５の状態を示す。８２１は撮影内容メタデータのバックアップ値であり、タグメモリ１１４の撮影内容メタデータ８５１の値を読み出してバックアップする。８２２は外部端末のアドレスのバックアップ値であり、タグメモリ１１４の外部端末のアドレス８５２の値を読み出してバックアップする。８２３は撮影内容メタデータであり、本値をタグメモリ１１４の撮影内容メタデータ８５１に書き込む。８２４は外部端末Ａのアドレスであり、本値をタグメモリ１１４の外部端末８５２に書き込む。そしてタグメモリ１１４の書き換え回数カウンタ８５３を１増加する。
【００７９】
図９は図７に示すフローチャートを適用して、外部端末２０１と撮像記録通信装置１００との間でＮＦＣ通信を行い、外部端末２０１の記録媒体３０５と、撮像記録通信装置のタグメモリ１１４の書き換えを実行した後であり、バックアップ値を参照する時の図である。
【００８０】
図８に対する差異のみを説明する。９５１は書き換え後のタグメモリ１１４の撮影内容メタデータである。９５２は書き換え後の外部端末のアドレス情報である。９５３は最終的な書き換え回数カウンタの状態を示す。
【００８１】
外部端末のアドレス９５２には値２８８が格納されている。外部端末のアドレス２８８は８２４に該当する。その為、８２１にて前回のバックアップ値である文字列「遠足」を得ることができる。
【００８２】
外部端末のアドレスのバックアップ値８２２には値３５５が格納されている。外部端末のアドレス３５５は８１４に該当する。その為、８１１にて前回のバックアップ値である文字列「卒業旅行」を得ることができる。
【００８３】
外部端末のアドレスのバックアップ値８１２には値４１２が格納されている。外部端末のアドレス４１２は８０４に該当する。その為、８０１にて前回のバックアップ値である文字列「入学式」を得ることができる。
【００８４】
以上より、記録媒体３０５とタグメモリ１１４のメモリ消費量を最小としながら、複数の書き換えが行われた場合でも、全ての書き換え前の値を取得することが可能となる。
【符号の説明】
【００８５】
１００  画像処理装置、１０１  システム制御マイコン、１０２  操作部、
１０３  バス、１０４  メモリ、１０５  記録媒体、１０６  ＮＦＣ通信部、
１０７  ＷｉＦｉ通信部、１０８  表示部、１０９  音声出力部、
１１０  映像外部出力部、１１１  音声外部出力部、１１２  撮像部、
１１３  符号化部、１１４  タグメモリ
【図１】
2017069879.tif 000003
【図２】
2017069879.tif 000004
【図３】
2017069879.tif 000005
【図４】
2017069879.tif 000006
【図５】
2017069879.tif 000007
【図６】
2017069879.tif 000008
【図７】
2017069879.tif 000009
【図８】
2017069879.tif 000010
【図９】
2017069879.tif 000011